(57)【要約】【課題】  本発明は、より小型化乃至良好な画質を実現できる小型撮像レンズシステムを提供する。【解決手段】  本発明にかかる小型撮像レンズシステムは、物体側から像面に向かって順に開口絞りと、物体側に向かって凹面、像面に向かって凸面が湾曲形成されたメニスカスのレンズと、を含む。前記メニスカスのレンズは物体側に向かった面が非球面で、像面に向かった面が回折格子が構成され、また、前記システムは条件式（１）０．１＜Ｒ２／Ｒ１＜０.５を満足する。ここで、Ｒ１は物体側に近いメニスカスのレンズの表面における頂点の曲率半径、Ｒ２は像面に近いメニスカスのレンズの表面における頂点の曲率半径である。この小型撮像レンズシステムは回折屈折の単レンジを利用するので、コストを低減し、良好な像質を提供することができる。【選択図】  図１
2006079059.tif 000002
【特許請求の範囲】
【請求項１】
物体側から像面に向かって順に開口絞りと、物体側に向かって凹面、像面に向かって凸面が湾曲形成されたメニスカスのレンズと、を含み、前記メニスカスのレンズは物体側に向かった面が非球面で、像面に向かった面には回折格子が構成される小型撮像レンズシステムにおいて、
条件式（１）０．１＜Ｒ２／Ｒ１＜０.５を満足し、
Ｒ１は物体側に近いメニスカスのレンズの表面における頂点までの曲率半径、Ｒ２は像面に近いメニスカスのレンズの表面における頂点までの曲率半径であることを特徴とする小型撮像レンズシステム。
【請求項２】
前記小型撮像レンズシステムはさらに条件式
（２）０．５＜ｄ２／Ｒ２＜１.５
を満足し、
ｄ２はメニスカスのレンズの厚さ、即ち、物体側に近いメニスカスのレンズの表面における頂点から像面に近いメニスカスの表面における頂点までの距離であることを特徴とする、請求項１に記載の小型撮像レンズシステム。
【請求項３】
前記小型撮像レンズシステムは、さらに条件式
（３）２００＜−Ｃ２×ｆ＜４５０
を満足し、
ｆは撮像レンズの焦点距離、Ｃ２は回折構成の位相関数の第二階位相の係数であることを特徴とする、請求項１又は２に記載の小型撮像レンズシステム。
【請求項４】
前記小型撮像レンズシステムはさらに条件式
（４）ｄ１／Ｔ＜０.１５
を満足し、
ｄ１は開口絞りから物体側に近いメニスカスのレンズの表面までの距離、Ｔは開口絞りから像面までの距離（システムの長さ）であることを特徴とする、請求項１〜３のいずれか一項に記載の小型撮像レンズシステム。
【請求項５】
前記メニスカスのレンズは両面とも非球面とされていることを特徴とする、請求項１〜４のいずれか一項に記載の小型撮像レンズシステム。
【請求項６】
前記メニスカスのレンズは光学系プラスチックから製造されることを特徴とする、請求項１〜５のいずれか一項に記載の小型撮像レンズシステム。
【請求項７】
前記光学系プラスチックは非晶質ポリオレフィン材料を採用することを特徴とする請求項６に記載の小型撮像レンズシステム。
【発明の詳細な説明】
【技術分野】
【０００１】
本発明は、小型撮像レンズシステムに関し、特に携帯電話、ＰＣカメラ等の小型撮像素子のレンズシステムに関する。
【背景技術】
【０００２】
近年、メディアの発展に伴って、携帯コンピュータ、ビジュアル電話、携帯電話などに搭載される、ＣＣＤ（Charged Coupled Device）又はＣＭＯＳ（Complementary Metal Oxide Semiconductor）等の固体画像処理ユニットを利用した撮像素子に対する要望が多くなってきている。また、この需要の増加に対して、レンズシステムには、より一層の小型化が求められている。
【０００３】
一方、これら固体画像処理ユニット、例えばＣＣＤ又はＣＭＯＳの生産技術が進歩して、各画素が数ミクロンになる画素処理ユニットが生産されるため、システムの小型化につれて撮像レンズの解像度に対する要求が高くなってきている。こうした理由から、小型撮像素子の発展方向に伴い、軽薄化、低コスト、良好な光学性能、優れた画質の小型化のレンズシステムの開発が行われている。
【０００４】
なお、ここでいうレンズシステムの小型化とは、レンズの第一面から像面までの距離（画像処理システムの長さ）が短いということである。
【０００５】
また、軽薄化と低コストとは、システムに含まれるレンズの数が少なく、且つレンズ本体がバッチ加工及び組付けを行い易いということである。
【０００６】
レンズシステムの性能及び画質が優れているとは、以下のものに該当する場合である。
１． 明るさ（小さなＦ数、一般的には２．８以下）
２． 大きな画角（半画角が３０度以上）
【０００７】
軽薄化と低コストのためには、レンズシステムのレンズの数量を減少しなければならず、即ち、プラスチックを材料としてレンズを一枚だけ用いることが好ましい。しかし、普通の単レンズは色収差を良好に補正できないという欠点がある。
【０００８】
色収差を補正するために、二枚又は数枚のレンズ構成を利用する。代表的な二枚レンズの構成は、特許文献１及び特許文献２に開示されている。数枚レンズの構成は、特許文献３及び特許文献４に開示されている。しかし、これらの構成設計には、色収差を除去するために、二枚レンズに対してそれぞれアッベ数の差がかなり大きい光学系材料を採用する。良好な光学性能（屈折率、アッベ数、光の透過率など）と環境に対する安定性（吸水率、熱膨張係数など）とを備える光学用プラスチックの種類が有限であるので、色収差を除去できる二枚レンズが全部プラスチックから製造されることがより困難である。従って、従来の良好な像質を有する二枚レンズは、少なくとも一枚のレンズがガラスから製作される。二枚レンズ又は数枚レンズは良好な像質を有するが、レンズの数量の増加とガラスの利用のため、コストの低減、システムの軽薄化に不利である。
【０００９】
色収差を補正する他の方法として、レンズ表面に回折格子を形成し、回折格子の非点収差の性質とレンズの光学系材料による非点収差の性質とに逆の規律を利用して色収差を補正する方法がある。この方法を介して単レンズシステムに色収差を補正できるので、レンズシステムの小型化及び軽薄化を満足するとともに、良好な像質を得ることができる。
【００１０】
しかし、現在採用した回折格子の構成を有する単レンズシステムにおいて、代表的な構成は特許文献５に示すように、色収差と部分の単色収差（例えば、球面収差）の補正のみに関し、単色収差の補正に対して全面の考慮がなく、一方、回折構成の輪帯数と寸法に対する考慮も欠く。これらのシステムは寸法が小さ過ぎるので、製造の困難を悪化し、波長の回折レベルでの回折効率を低下させる原因となって、コスト増加乃至不良な像質につながる。
【００１１】
また、プラスチックには、吸水度（Water Absorbency）という課題がある。携帯電話のデジタルカメラに広く利用されたプラスチックの成分として、非晶質ポリオレフィン樹脂Ｚｅｏｎｅｘ（Polyolefin Resin或いはCyclo-olefin Polymers）のみ吸水度が低い（＜０．０１％）が、ポリメタクリル酸メチル（ＰＭＭＡ）の基準値は１．５％で、ポリカーボネート（ＰＣ）は０．４％であるので、後の二種の成分から製造されたプラスチックレンズはレンズの吸水度による変形のため、システムの光学性能が低下する課題がある。
【００１２】
前記を鑑みて、より小型化されまた画質良好の小型撮像レンズシステムを提供することが必要になる。
【特許文献１】米国特許第ＵＳ２００３／０１１７７２３号明細書
【特許文献２】ヨーロッパ特許第ＥＰ１３５７４１４Ａ１号明細書
【特許文献３】米国特許第ＵＳ２００３／０１９３６０５Ａ１号明細書
【特許文献４】米国特許第ＵＳ２００４／００１２８６１Ａ１号明細書
【特許文献５】米国特許第６，０５５，１０５号明細書
【発明の開示】
【発明が解決しようとする課題】
【００１３】
本発明は、前記課題を解決するために、より小型化乃至良好な画質を実現できる小型撮像レンズシステムを提供することを目的とする。
【課題を解決するための手段】
【００１４】
本発明は前記課題を解決するための技術方案として、物体側から像面に向かって順に開口絞りと、物体側に向かって凹面、像面に向かって凸面が湾曲形成されたメニスカスのレンズと、を含み、前記メニスカスのレンズは物体側に向かった面が非球面で、像面に向かった面に回折格子が構成され、また、前記システムは条件式（１）０．１＜Ｒ２／Ｒ１＜０.５を満足する小型撮像レンズシステムを提供する。
ここで、Ｒ１は物体側に近いメニスカスのレンズの表面における頂点の曲率半径、Ｒ２は像面に近いメニスカスのレンズの表面における頂点の曲率半径である。
【００１５】
前記メニスカスのレンズは両面とも非球面とされていることが好ましい。
【００１６】
前記メニスカスのレンズの厚さを制限するために、前記小型撮像レンズシステムはさらに条件式
（２）０．５＜ｄ２／Ｒ２＜１.５
を満足する。
ここで、ｄ２はメニスカスのレンズの厚さ、即ち、物体側に近いメニスカスのレンズの表面における頂点から像面に近いメニスカスの表面における頂点までの距離である。
【００１７】
色収差を補正するために、前記小型撮像レンズシステムは、さらに条件式
（３）２００＜−Ｃ２×ｆ＜４５０
を満足する。
ここで、ｆは撮像レンズの焦点距離、Ｃ２は回折構成の位相関数の第二階位相の係数である。
【００１８】
簡単に加工できるように開口絞りの位置を固定してシステムの長さを縮小するので、前記小型撮像レンズシステムはさらに条件式
（４）ｄ１／Ｔ＜０.１５
を満足する。
ここで、ｄ１は開口絞りから物体側に近いメニスカスのレンズの表面までの距離、Ｔは開口絞りから像面までの距離（システムの長さ）である。
【００１９】
前記メニスカスのレンズは光学系のプラスチックから製造される。
【００２０】
レンズの吸水性による変形が原因でシステムの光学性能が低くなることを防止するために、本発明にかかるプラスチックは非晶質ポリオレフィン材料を採用することがより好ましい。
【発明の効果】
【００２１】
従来の技術と比べて、本発明にかかる小型撮像レンズシステムは、条件式（１）０．１＜Ｒ２／Ｒ１＜０.５、（２）０．５＜ｄ２／Ｒ２＜１.５、（３）２００＜−Ｃ２×ｆ＜４５０、（４）ｄ１／Ｔ＜０.１５を満足するので、回折格子が大きく、加工し易くなり、鋳造成型の方法を介して大規模に生産でき、コストを低減し、また、良好な像質ができる。なお、本発明にかかるメニスカスのレンズは非晶質ポリオレフィン材料から製造されるので、吸水による変形が原因でシステムの光学性能が低くなることを防止することができる。
【発明を実施するための最良の形態】
【００２２】
図１は本発明にかかる小型撮像レンズシステムの構成を示す模式図である。光は物体側から入射され、物体側に置く開口絞り１０と、物体側に向かって凹面、像面４０に向かって凸面が湾曲形成されたメニスカスのレンズ２０と、赤外線フィルターシート３０と、を透過して、像面４０に集まる。前記メニスカスのレンズ２０は対物側に向かった面が非球面で、像面４０に向かった面が回折格子の構成を有する凸面である。また、前記システムは条件式（１）０．１＜Ｒ２／Ｒ１＜０.５を満足する。ここで、Ｒ１は物体側に近いメニスカスのレンズ２０の表面（第一表面、図示せず）における頂点の曲率半径、Ｒ２は像面４０に近いメニスカスのレンズ２０の表面（第二表面、図示せず）における頂点の曲率半径である。
【００２３】
条件式（１）は、単色収差を除去するために求められたメニスカスのレンズ２０の第二表面の屈折力の分配を示す。Ｒ２／Ｒ１は最大値である０.５以上の場合、メニスカスのレンズ２０に一定の屈折力を確保するために、メニスカスのレンズ２０の厚さを増加させて、回折構成を有する第二表面の開口率を大きくして、格子の輪帯数を増加させるので、寸法が小さ過ぎ、加工し難くなる。Ｒ２／Ｒ１は最小値である０.１以上の場合、Ｒ２は小さ過ぎるので、単色収差、特に像面湾曲が大きくなって、補正し難くなる。
【００２４】
前記メニスカスのレンズ２０における回折格子の構成を有する凸面の拡大模式図は図２に示すようになる。
【００２５】
前記メニスカスのレンズ２０は両面とも非球面とされることが好ましい。
【００２６】
システムの低コストと良好な像質とを実現するために、前記小型撮像レンズシステムは、さらに条件式
（２）０．５＜ｄ２／Ｒ２＜１.５
を満足する。
ここで、ｄ２はメニスカスのレンズ２０の厚さ、即ち、メニスカスのレンズ２０における第一表面の頂点から第二表面の頂点までの距離である。条件式（２）はメニスカスのレンズ２０の厚さを制限するためのものである。ｄ２／Ｒ２は最小値である０．５以下であれば、レンズの屈折力を確保するためにメニスカスのレンズ２０の表面の湾曲度を増大する必要があるので、単色収差の補正が困難になる。ｄ２／Ｒ２は最大値である１.５以上であれば、回折構成を有する第二表面の開口が大きくなって、格子の輪帯数が増加するので、最小の寸法が小さくなりすぎて、加工し難くなる。
【００２７】
前記小型撮像レンズシステムは、さらに条件式
（３）２００＜−Ｃ２×ｆ＜４５０
を満足することが好ましい。
ここで、ｆは撮像レンズの焦点距離、Ｃ２は回折構成の位相関数の第二階位相の係数である。条件式（３）はメニスカスのレンズ２０の第二表面における回折格子の構成を介して分担した屈折力を制限するものである。回折面の位相係数Ｃ２で−Ｃ２×ｆが最大値である４５０以上になるとき、回折格子は大きい寸法が確保され、加工し易くなる。回折面の位相係数Ｃ２で−Ｃ２×ｆが最小値である２００以下になるとき、回折格子に適切な屈折力が分担され、良好にシステムの色収差を補正することができる。
【００２８】
前記小型撮像レンズシステムはさらに条件式
（４）ｄ１／Ｔ＜０.１５
を満足することがより好ましい。
ここで、ｄ１は開口絞り１０からメニスカスのレンズ２０の第一表面までの距離、Ｔは開口絞り１０から像面４０までの距離（システムの長さ）である。条件式（４）は開口絞り１０の位置を固定するものである。条件式（４）を満足する場合、開口絞り１０がメニスカスのレンズ２０に近くなる。前記に示すように、次の優れた点がある。１．非点収差と歪曲収差を補正するに有利である；２．システムの長さが小さくなる；３．光がメニスカスのレンズ２０の表面に入射する高度が減少して、回折構成を有する第二表面の開口が小さくなり、回折構成の輪帯数が減少する。
【００２９】
本発明にかかるメニスカスのレンズ２０はプラスチックから製造されるので、製造工程の複雑性乃至コストが低くなる。
【００３０】
本発明にかかるプラスチックとして、吸水性が低い（＜０.０１％）非晶質ポリオレフィン材料を採用して、レンズの吸水によるシステムの光学性能の低下を防ぐことができる。
【００３１】
次に、図３Ａ乃至図１６を参照して、実施例を用いて本発明にかかる小型撮像レンズシステムを説明する。
【００３２】
次の各実施例において、メニスカスのレンズ２０は少なくとも一面が非球面とされている。非球面形状の計算式は以下のようにする。
【００３３】
【数１】
2006079059.tif 000003
【００３４】
ここで、ｘは表面の各点からレンズの頂点の切平面までの垂直距離、ｒは光軸から表面までの高さ、ｋは二次曲面の曲線係数、ｃは非球面の頂点の曲率、Ａ２ｉは第２ｉ階の非球面形状の係数である。
【００３５】
メニスカスのレンズ２０の第二表面は回折格子の構成を有する。回折表面は以下の位相調整の式で表示される。
【００３６】
【数２】
2006079059.tif 000004
【００３７】
ここで、φ(r)は回折表面に入射された光波の位相調整、ｒは光軸から回折表面までの高さ、Ｃ２ｉは第２ｉ階の位相係数である。
Ｔ：開口絞りから結像面までの距離；
ｆ：撮像レンズの焦点距離；
ＦＮｏ：Ｆ数；
２ω：画角；
Ｒ：光表面の曲率半径；
ｄ：光表面から光軸までの距離；
ｎ：屈射率；
ν：アッベ数。
【００３８】
実施例１乃至実施例７において、メニスカスのレンズ２０はそれぞれ日本ゼオン株式会社（Ｚｅｏｎ）の開発した非晶質ポリオレフィン材料Ｚｅｏｎｅｘ４８０Ｒ（ｎ＝１.５３１１７０、ｖ＝５６.０）を材料として製造されるものである。
【００３９】
［実施例１］
前記小型撮像レンズシステムは表１、表２、及び表３の条件を満足する。
【００４０】
【表１】
2006079059.tif 000005
【００４１】
【表２】
2006079059.tif 000006
【００４２】
【表３】
2006079059.tif 000007
【００４３】
図３Ａ乃至図４は、この実施例１にかかる小型撮像レンズシステムにおける像面湾曲及び歪曲収差、軸上色収差を示す。ここで、図３Ａ及び図３Ｂはそれぞれ像面湾曲曲線及び歪曲収差曲線を示す。これらの図に示されるように、前記像面湾曲及び歪曲収差、軸上色収差は良好に補正することができる。
【００４４】
［実施例２］
前記小型撮像レンズシステムは表４、表５及び表６の条件を満足する。
【００４５】
【表４】
2006079059.tif 000008
【００４６】
【表５】
2006079059.tif 000009
【００４７】
【表６】
2006079059.tif 000010
【００４８】
図５Ａ乃至図６は、この実施例２にかかる小型撮像レンズシステムにおける像面湾曲及び歪曲収差、軸上色収差を示す。ここで、図５Ａ及び図５Ｂはそれぞれ像面湾曲曲線及び歪曲収差曲線を示す。これらの図に示されるように、前記像面湾曲及び歪曲収差、軸上色収差は良好に補正することができる。
【００４９】
［実施例３］
前記小型撮像レンズシステムは表７、表８及び表９の条件を満足する。
【００５０】
【表７】
2006079059.tif 000011
【００５１】
【表８】
2006079059.tif 000012
【００５２】
【表９】
2006079059.tif 000013
【００５３】
図７Ａ乃至図８は、この実施例３にかかる小型撮像レンズシステムにおける像面湾曲及び歪曲収差、軸上色収差を示す。ここで、図７Ａ及び図７Ｂはそれぞれ像面湾曲曲線及び歪曲収差曲線を示す。これらの図に示されるように、前記像面湾曲及び歪曲収差、軸上色収差は良好に補正することができる。
【００５４】
［実施例４］
前記小型撮像レンズシステムは表１０、表１１及び表１２の条件を満足する。
【００５５】
【表１０】
2006079059.tif 000014
【００５６】
【表１１】
2006079059.tif 000015
【００５７】
【表１２】
2006079059.tif 000016
【００５８】
図９Ａ乃至図１０は、この実施例４にかかる小型撮像レンズシステムにおける像面湾曲及び歪曲収差、軸上色収差を示す。ここで、図９Ａ及び図９Ｂはそれぞれ像面湾曲曲線及び歪曲収差曲線を示す。これらの図に示されるように、前記像面湾曲及び歪曲収差、軸上色収差は良好に補正することができる。
【００５９】
［実施例５］
前記小型撮像レンズシステムは表１３、表１４及び表１５の条件を満足する。
【００６０】
【表１３】
2006079059.tif 000017
【００６１】
【表１４】
2006079059.tif 000018
【００６２】
【表１５】
2006079059.tif 000019
【００６３】
図１１Ａ乃至図１２は、この実施例５にかかる小型撮像レンズシステムにおける像面湾曲及び歪曲収差、軸上色収差を示す。ここで、図１１Ａ及び図１１Ｂはそれぞれ像面湾曲曲線及び歪曲収差曲線を示す。これらの図に示されるように、前記像面湾曲及び歪曲収差、軸上色収差は良好に補正することができる。
【００６４】
［実施例６］
前記小型撮像レンズシステムは表１６、表１７及び表１８の条件を満足する。
【００６５】
【表１６】
2006079059.tif 000020
【００６６】
【表１７】
2006079059.tif 000021
【００６７】
【表１８】
2006079059.tif 000022
【００６８】
図１３Ａ乃至図１４は、この実施例６にかかる小型撮像レンズシステムにおける像面湾曲及び歪曲収差、軸上色収差を示す。ここで、図１３Ａ及び図１３Ｂはそれぞれ像面湾曲曲線及び歪曲収差曲線を示す。これらの図に示されるように、前記像面湾曲及び歪曲収差、軸上色収差は良好に補正することができる。
【００６９】
［実施例７］
前記小型撮像レンズシステムは表１９、表２０及び表２１の条件を満足する。
【００７０】
【表１９】
2006079059.tif 000023
【００７１】
【表２０】
2006079059.tif 000024
【００７２】
【表２１】
2006079059.tif 000025
【００７３】
図１５Ａ乃至図１６は、この実施例７にかかる小型撮像レンズシステムにおける像面湾曲及び歪曲収差、軸上色収差を示す。ここで、図１５Ａ及び図１５Ｂはそれぞれ像面湾曲曲線及び歪曲収差曲線を示す。これらの図に示されるように、前記像面湾曲及び歪曲収差、軸上色収差は良好に補正することができる。
【００７４】
表２２ははこれら七つの実施例及びそれらに対応する光学特性（開口、画角、焦点距離及び前記条件式に対応する値を含む）を示す。
【００７５】
【表２２】
2006079059.tif 000026
【００７６】
以上見てきたように、本発明にかかる小型撮像レンズシステムは、所定の条件式を満足する場合、大きい寸法の回折格子を確保し、鋳造成型の方法を介して大規模の生産ができ、コストを低下し、また、良好な光学系の像質が得られる。本発明にかかるメニスカスのレンズは、吸水による変形の可能性が小さいプラスチックを採用するので、吸水による変形のためシステムの光学性能が低くなることを防止する。
【図面の簡単な説明】
【００７７】
【図１】本発明にかかる小型撮像レンズシステムの構成を示す模式図である。
【図２】図１におけるメニスカスのレンズ２０が像面４０に向かった回折面を拡大して示す模式図である。
【図３Ａ】本発明にかかる小型撮像レンズシステムの実施例１にかかる像面湾曲を示す図である。
【図３Ｂ】本発明にかかる小型撮像レンズシステムの実施例１にかかる歪曲収差曲線を示す図である。
【図４】本発明にかかる小型撮像レンズシステムの実施例１にかかる軸上収差曲線を示す図である。
【図５Ａ】本発明にかかる小型撮像レンズシステムの実施例２にかかる像面湾曲を示す図である。
【図５Ｂ】本発明にかかる小型撮像レンズシステムの実施例２にかかる歪曲収差曲線を示す図である。
【図６】本発明にかかる小型撮像レンズシステムの実施例２にかかる軸上収差曲線を示す図である。
【図７Ａ】本発明にかかる小型撮像レンズシステムの実施例３にかかる像面湾曲を示す図である。
【図７Ｂ】本発明にかかる小型撮像レンズシステムの実施例３にかかる歪曲収差曲線を示す図である。
【図８】本発明にかかる小型撮像レンズシステムの実施例３にかかる軸上収差曲線を示す図である。
【図９Ａ】本発明にかかる小型撮像レンズシステムの実施例４にかかる像面湾曲を示す図である。
【図９Ｂ】本発明にかかる小型撮像レンズシステムの実施例４にかかる歪曲収差曲線を示す図である。
【図１０】本発明にかかる小型撮像レンズシステムの実施例４にかかる軸上収差曲線を示す図である。
【図１１Ａ】本発明にかかる小型撮像レンズシステムの実施例５にかかる像面湾曲を示す図である。
【図１１Ｂ】本発明にかかる小型撮像レンズシステムの実施例５にかかる歪曲収差曲線を示す図である。
【図１２】本発明にかかる小型撮像レンズシステムの実施例５にかかる軸上収差曲線を示す図である。
【図１３Ａ】本発明にかかる小型撮像レンズシステムの実施例６にかかる像面湾曲を示す図である。
【図１３Ｂ】本発明にかかる小型撮像レンズシステムの実施例６にかかる歪曲収差曲線を示す図である。
【図１４】本発明にかかる小型撮像レンズシステムの実施例６にかかる軸上収差曲線を示す図である。
【図１５Ａ】本発明にかかる小型撮像レンズシステムの実施例７にかかる像面湾曲を示す図である。
【図１５Ｂ】本発明にかかる小型撮像レンズシステムの実施例７にかかる歪曲収差曲線を示す図である。
【図１６】本発明にかかる小型撮像レンズシステムの実施例７にかかる軸上収差曲線を示す図である。
【符号の説明】
【００７８】
１０  開口絞り
２０  レンズ
３０  赤外線フィルターシート
４０  像面
【図１】
2006079059.tif 000027
【図２】
2006079059.tif 000028
【図３Ａ】
2006079059.tif 000029
【図３Ｂ】
2006079059.tif 000030
【図４】
2006079059.tif 000031
【図５Ａ】
2006079059.tif 000032
【図５Ｂ】
2006079059.tif 000033
【図６】
2006079059.tif 000034
【図７Ａ】
2006079059.tif 000035
【図７Ｂ】
2006079059.tif 000036
【図８】
2006079059.tif 000037
【図９Ａ】
2006079059.tif 000038
【図９Ｂ】
2006079059.tif 000039
【図１０】
2006079059.tif 000040
【図１１Ａ】
2006079059.tif 000041
【図１１Ｂ】
2006079059.tif 000042
【図１２】
2006079059.tif 000043
【図１３Ａ】
2006079059.tif 000044
【図１３Ｂ】
2006079059.tif 000045
【図１４】
2006079059.tif 000046
【図１５Ａ】
2006079059.tif 000047
【図１５Ｂ】
2006079059.tif 000048
【図１６】
2006079059.tif 000049